(57)【要約】【課題】後加工情報を消色インクで印刷可能な画像形成装置を提供する。【解決手段】  印刷データ取得部１００は、印刷データ２００を取得する。情報抽出部１１０は、印刷データ取得部１００により取得された印刷データ２００から後加工情報３１０を抽出する。消色設定部１２０は、情報抽出部１１０により抽出された後加工情報３１０の箇所が、所定期間経過後に消色する消色インクで出力されるように出力データ２１０を設定する。画像形成部は、消色設定部１２０により設定された出力データ２１０を、消色インクで画像形成する。【選択図】図２
2020075394.tif 000002
【特許請求の範囲】
【請求項１】
印刷データを取得する印刷データ取得部と、
前記印刷データ取得部により取得された前記印刷データから後加工情報を抽出する情報抽出部と、
前記情報抽出部により抽出された前記後加工情報の箇所が、所定期間経過後に消色する消色インクで出力されるように出力データを設定する消色設定部と、
前記消色設定部により設定された前記出力データを、前記消色インクで画像形成する画像形成部とを備える
ことを特徴とする画像形成装置。
【請求項２】
前記後加工情報は、図形データを含み、
前記消色設定部は、
前記印刷データのうち、通常色の通常インクに対応する箇所と、前記後加工情報の前記図形データの箇所とが干渉する場合、当該図形データが裏面に出力されるように設定する
ことを特徴とする請求項１に記載の画像形成装置。
【請求項３】
前記後加工情報は、文字データも含み、
前記消色設定部は、
前記裏面に前記図形データが出力されるよう設定された場合、前記図形データの位置及び形状を反転された状態になるよう設定し、前記文字データは反転された状態にならないよう位置のみ設定する
ことを特徴とする請求項２に記載の画像形成装置。
【請求項４】
前記画像形成部にて画像形成された印刷物の後加工情報が完全に消色される前に、前記印刷データのユーザーへ事前通知する消色通知部を更に備える
ことを特徴とする請求項１乃至３のいずれか１項に記載の画像形成装置。
【請求項５】
画像形成装置により実行される画像形成方法であって、前記画像形成装置は、
印刷データを取得し、
取得された前記印刷データから後加工情報を抽出し、
抽出された前記後加工情報の箇所が、所定期間経過後に消色する消色インクで出力されるように出力データを設定し、
設定された前記出力データを、前記消色インクで画像形成する
ことを特徴とする画像形成方法。
【発明の詳細な説明】
【技術分野】
【０００１】
本発明は、画像形成装置及び画像形成方法に係り、特に消色インクを用いる画像形成装置及び画像形成方法に関する。
【背景技術】
【０００２】
従来から、文書や画像を印刷可能な複合機（Multifunctional Peripheral, MFP）等の画像形成装置が存在する。
特許文献１を参照すると、消去可能なユーザー表記によって、排紙トレイに出力された記録紙を簡単に識別することができる画像形成装置が記載されている。
【０００３】
ところで、商業印刷では、殆どの場合において切断、縫合等の後加工が必要となる。
従来、これらの後加工のための切り取り線やマチ等の図形、後加工の注釈を示す文字である注意書き等は、後加工されない箇所と一緒に印刷されていた。
【先行技術文献】
【特許文献】
【０００４】
【特許文献１】特開２０１８−１５１３号公報
【発明の概要】
【発明が解決しようとする課題】
【０００５】
近年、後加工のための図形や文字のみを、消色インクで印刷したいという技術上のニーズが生じてきていた。
しかしながら、特許文献１の技術は、このようなニーズに対応できなかった。
【０００６】
本発明は、このような状況に鑑みてなされたものであって、上述の問題点を解消する画像形成装置を提供することを課題とする。
【課題を解決するための手段】
【０００７】
本発明の画像形成装置は、印刷データを取得する印刷データ取得部と、前記印刷データ取得部により取得された前記印刷データから後加工情報を抽出する情報抽出部と、前記情報抽出部により抽出された前記後加工情報の箇所が、所定期間経過後に消色する消色インクで出力されるように出力データを設定する消色設定部と、前記消色設定部により設定された前記出力データを、前記消色インクで画像形成する画像形成部とを備えることを特徴とする。
本発明の画像形成装置は、前記後加工情報は、図形データを含み、前記消色設定部は、前記印刷データのうち、通常色の通常インクに対応する箇所と、前記後加工情報の前記図形データの箇所とが干渉する場合、当該図形データが裏面に出力されるように設定することを特徴とする。
本発明の画像形成装置は、前記後加工情報は、文字データも含み、前記消色設定部は、前記裏面に前記図形データが出力されるよう設定された場合、前記図形データの位置及び形状を反転された状態になるよう設定し、前記文字データは反転された状態にならないよう位置のみ設定することを特徴とする。
本発明の画像形成装置は、前記画像形成部にて画像形成された印刷物の後加工情報が完全に消色される前に、前記印刷データのユーザーへ事前通知する消色通知部を更に備えることを特徴とする。
本発明の画像形成方法は、画像形成装置により実行される画像形成方法であって、前記画像形成装置は、印刷データを取得し、取得された前記印刷データから後加工情報を抽出し、抽出された前記後加工情報の箇所が、所定期間経過後に消色する消色インクで出力されるように出力データを設定し、設定された前記出力データを、前記消色インクで画像形成することを特徴とする。
【発明の効果】
【０００８】
本発明によれば、印刷データを取得して、後加工情報を抽出し、当該後加工情報の箇所が、所定期間経過後に消色する消色インクで出力されるように設定し、画像形成することで、後加工のための図形や文字のみを、消色インクで印刷可能な画像形成装置を提供することができる。
【図面の簡単な説明】
【０００９】
【図１】本発明の実施の形態に係る画像形成装置のシステム構成図である。
【図２】本発明の実施の形態に係る画像形成装置の機能構成を示すブロック図である。
【図３】本発明の実施の形態に係る後加工消色印刷処理のフローチャートである。
【図４】図３に示す後加工消色印刷処理の概念図である。
【発明を実施するための形態】
【００１０】
＜実施の形態＞
〔画像形成装置１のシステム構成〕
まず、図１を参照して、画像形成装置１のシステム構成について説明する。
【００１１】
画像形成装置１は、画像処理部１１、原稿読取部１２、原稿給送部１３、給紙部１４、ネットワーク送受信部１５、操作パネル部１６、画像形成部１７（画像形成手段）、ＦＡＸ送受信部１８、及び記憶部１９等を含む。各部は、制御部１０に接続され、制御部１０によって動作制御される。
【００１２】
制御部１０は、ＧＰＰ（General Purpose Processor）、ＣＰＵ（Central Processing Unit、中央処理装置）、ＭＰＵ（Micro Processing Unit）、ＤＳＰ（Digital Signal Processor）、ＧＰＵ（Graphics Processing Unit）、ＡＳＩＣ（Application Specific Processor、特定用途向けプロセッサー）等の情報処理部である。
制御部１０は、記憶部１９のＲＯＭやＨＤＤに記憶されている制御プログラムを読み出して、この制御プログラムをＲＡＭに展開させて実行することで、後述する機能ブロックの各部として動作させられる。また、制御部１０は、端末２や操作パネル部１６から入力された所定の指示情報に応じて、装置全体の制御を行う。
【００１３】
画像処理部１１は、ＤＳＰ（Digital Signal Processor）やＧＰＵ（Graphics Processing Unit）等の制御演算手段である。画像処理部１１は、画像データに対して所定の画像処理を行う。この所定の画像処理は、例えば、拡大縮小、濃度調整、階調調整、画像改善等の処理であってもよい。
画像処理部１１は、原稿読取部１２で読み取られた画像を、記憶部１９に印刷データ２００として記憶する。この際、画像処理部１１は、印刷データ２００を、ＰＤＦ等の電子文書やＴＩＦＦ等の画像データのファイルに変換することも可能である。また、画像処理部１１は、ＯＣＲ（Optical Character Recognition）の少なくとも一部の処理を実行可能であってもよい。
【００１４】
原稿読取部１２は、セットされた原稿を読み取る。また、原稿読取部１２は、画像形成装置１の本体部の上部に配設される。
原稿読取部１２は、スキャナーと、プラテンガラスと、原稿読取スリットとを備えている。原稿読取部１２は、プラテンガラスに載置された原稿を読み取る場合には、スキャナーをプラテンガラスに対向する位置に移動させ、プラテンガラスに載置された原稿を走査しながら読み取って画像データを取得し、取得した画像データを制御部１０に出力する。
【００１５】
または、原稿読取部１２は、原稿給送部１３から給送された原稿を読み取る場合には、スキャナーを、原稿読取スリットと対向する位置に移動させる。そして、原稿読取部１２は、原稿読取スリットを介し、原稿給送部１３による原稿の搬送動作と同期して原稿を読み取って、画像データを取得する。原稿読取部１２は、取得した画像データを、制御部１０に出力する。
【００１６】
原稿給送部１３は、原稿読取部１２で読み取られる原稿を搬送する。原稿給送部１３は、原稿読取部１２の上部に配設されている。
原稿給送部１３は、原稿載置部と、原稿搬送機構とを備えている。原稿給送部１３は、原稿載置部に載置された原稿を、原稿搬送機構によって１枚ずつ順に繰り出して、原稿読取部１２に給送する。
【００１７】
給紙部１４は、記録紙を１枚ずつ画像形成部１７に向けて繰り出す。給紙部１４は、本体部に備えられている。
【００１８】
ネットワーク送受信部１５は、ＬＡＮ、無線ＬＡＮ、ＷＡＮ、携帯電話網、固定電話網等の外部ネットワークであるネットワーク５に接続するためのＬＡＮボードや無線送受信機等を含むネットワーク接続部である。ネットワーク送受信部１５は、ネットワーク５ではデータを送受信し、固定電話網の音声電話回線では音声信号を送受信する。
ネットワーク送受信部１５は、ネットワーク５を介して、ＰＣ（Personal Computer）、スマートフォン、タブレット、ＰＤＡ（Personal Data Assistant）等の端末２と接続されている。
この端末２には、後加工情報３１０（図２）を消色インクで印刷するための指定、後述する通知等を行う指定等が可能な、画像形成装置１用のデバイスドライバー（Device Driver）がインストールされている。
【００１９】
操作パネル部１６は、ボタンやタッチパネル等の入力部と、ＬＣＤ(Liquid Crystal Display)や有機ＥＬディスプレイ等の表示部とを備えている。また、操作パネル部１６は、画像形成装置１のフロント側に配設されている。
操作パネル部１６の入力部のボタンは、テンキー、スタート、キャンセル、動作モードの切り換え、ジョブの実行に係る指示を行うボタン等である。この動作モードは、複写、ＦＡＸ送信、スキャナー、ネットワークスキャナー等の種類のモードを備えていてもよい。また、ジョブは、選択された文書の印刷、送信、保存、及び記録等を含んでいる。操作パネル部１６の入力部は、ユーザーによる画像形成装置１の各種ジョブの指示を取得する。また、操作パネル部１６から取得したユーザーの指示により、各ユーザーの情報を入力、変更することも可能である。
【００２０】
画像形成部１７は、ユーザーの出力指示により、記憶部１９に記憶され、原稿読取部１２で読み取られ、又は端末２から取得された印刷データ２００（図２）が変換された出力データ２１０の記録紙への画像形成を行わせる。
画像形成部１７は、例えば、複数色に対応したピエゾ式又は熱バブル式等のインクジェット方式のヘッドやインクタンク等を備えており、このヘッドで各色のインクを放出する画像形成プロセスを実行することで記録紙に画像を記録する。
加えて、本実施形態においては、画像形成部１７は、所定期間経過後に消色する消色インクに対応したヘッドや当該インク等も備えている。この消色インクは、例えば、インクタンクに格納されている状態では色がついている。この上で、消色インクは、記録紙に記録後、室内程度の紫外線に曝されたり大気中で酸化されたりすると、化学反応が進行して退色し、最終的にはほぼ無色となる、すなわち消色する。この消色までの所定期間は、例えば、数日〜数ヶ月程度であり、使用する消色インクに含まれる染料等の化学物質の種類や濃度等により把握可能である。
画像形成部１７で画像形成が行われた記録紙は、印刷物として排紙トレイへ排出される。
【００２１】
ＦＡＸ送受信部１８は、ファクシミリの送受信を行う。ＦＡＸ送受信部１８は、音声回線により、他のＦＡＸ装置（図示せず）からファクシミリ受信して、記憶部１９に保存し、画像形成部１７で画像形成させることが可能である。また、ＦＡＸ送受信部１８は、原稿読取部１２で読み取られた原稿や端末２から送信されたネットワークＦＡＸのデータを画像データに変換して、他のＦＡＸ装置へ音声回線でファクシミリ送信することが可能である。
【００２２】
記憶部１９は、ＲＯＭ（Read Only Memory）、ＲＡＭ（Random Access Memory）等の半導体メモリーやＨＤＤ（Hard Disk Drive）等の一時的でない記録媒体である。
記憶部１９のＲＯＭやＨＤＤには画像形成装置１の動作制御を行うための制御プログラムが記憶されている。これに加えて、記憶部１９は、ユーザーのアカウント設定も記憶している。また、記憶部１９には、ユーザー毎の保存フォルダー（文書ボックス）の領域が含まれていてもよい。
【００２３】
なお、画像形成装置１において、制御部１０及び画像処理部１１は、ＧＰＵ内蔵ＣＰＵ、チップ・オン・モジュールパッケージ、ＳＯＣ（System On a Chip）等のように、一体的に形成されていてもよい。
また、制御部１０及び画像処理部１１は、ＲＡＭやＲＯＭやフラッシュメモリー等を内蔵していてもよい。
【００２４】
〔画像形成装置１の機能構成〕
ここで、図２を参照し、画像形成装置１の機能構成について説明する。
画像形成装置１の制御部１０は、印刷データ取得部１００、情報抽出部１１０、消色設定部１２０、及び消色通知部１３０を備えている。
記憶部１９は、印刷データ２００、出力データ２１０、及び通知データ２２０を格納する。
本実施形態において、画像形成部１７は、消色設定部１２０により設定された出力データ２１０を、消色インクで画像形成する。
【００２５】
印刷データ取得部１００は、印刷データ２００を取得する。本実施形態では、印刷データ取得部１００は、ネットワーク５を介して端末２等から印刷データ２００を取得する。
【００２６】
情報抽出部１１０は、印刷データ取得部１００により取得された印刷データ２００から後加工情報３１０を抽出する。
【００２７】
消色設定部１２０は、情報抽出部１１０により抽出された後加工情報３１０の箇所が、所定期間経過後に消色する消色インクで出力されるように出力データ２１０を設定する。
消色設定部１２０は、印刷データ２００のうち、通常色の通常インクに対応する箇所と、後加工情報３１０の図形データ４００の箇所とが干渉する場合、当該図形データ４００が裏面に出力されるように設定することも可能である。この際、消色設定部１２０は、印刷データ２００において、裏面に図形データ４００が出力されるよう設定された場合、図形データ４００の位置及び形状を反転された状態になるよう設定し、文字データ４１０は反転された状態にならないよう位置のみ設定することも可能である。
【００２８】
消色通知部１３０は、画像形成部１７にて画像形成された印刷物の後加工情報が完全に消色される前に、印刷データ２００のユーザーへ事前通知する。この事前通知は、後述する通知データ２２０に対応して、例えば、所定期間が経過する数時間〜数日前等に行われてもよい。
【００２９】
印刷データ２００は、印刷用の各種情報を含むデータである。印刷データ２００は、本実施形態においては、例えば、端末２のデバイスドライバーで出力されたＰＤＬ（Page Description Language）データ、生（Raw）画像データ等である。または、印刷データ２００は、各種ドロー系の描画ソフトウェアのファイル、プレゼンテーションやワードプロセッサーやスプレッドシート等のアプリケーションソフトウェア（以下、単に「アプリ」という。）のファイル、ＰＤＦ等の電子文書データ、ｊｐｇやＴＩＦＦやビットマップ等の画像データを含んでいてもよい。
本実施形態における印刷データ２００のデータ構成の詳細については後述する。
【００３０】
出力データ２１０は、画像形成部１７で画像形成される際に用いられるビットマップデータ等である。出力データ２１０は、例えば、Ｃ（Cyan）、Ｍ（Magenta）、Ｙ（Yellow）、Ｋ（blacK）やこれらの薄色や中間色等を含む通常色のインク（通常インク）の各色に対応したデータとして作成される。この上で、出力データ２１０は、本実施形態の消色インクに対応したデータも設定される。出力データ２１０は、例えば、中間調がディザ等で表現されていてもよく、このディザの出力箇所と被らない箇所に消色インクのデータが設定されていてもよい。
【００３１】
通知データ２２０は、ユーザーに事前通知を行うための情報を含むデータベースである。通知データ２２０は、印刷物の出力日時等の出力時刻情報、印刷物のファイル名や文書名等の印刷物識別情報、事前通知するユーザーのＩＤ（Identification）、電子メールやメッセンジャーのアドレス等の連絡先情報、印刷完了から事前通知をするまでの期間等の情報を含んでいる。これに加え、通知データ２２０は、印刷物の一ページ目の画像の表紙データ、サムネイル（thumbnail）データ等を含んでいてもよい。
【００３２】
ここで、印刷データ２００のデータ構成の詳細について説明する。
印刷データ２００は、通常印刷情報３００、後加工情報３１０、及びユーザー情報３２０を含んでいる。
【００３３】
通常印刷情報３００は、印刷データ２００のうち、通常インクに対応する箇所の印刷用のデータである。
後加工情報３１０は、印刷データ２００のうち、後加工に用いるデータである。本実施形態において、後加工情報３１０は、例えば、専用タグ、専用色、オブジェクトＩＤ、指定領域等の形式で設定される。
ユーザー情報３２０は、ユーザーのＩＤ、連絡先情報、後加工情報３１０の裏面印刷の許可又は禁止、事前通知をするか否か、印刷完了から事前通知をするまでの期間等を含むデータである。さらに、ユーザー情報３２０は、ユーザーが印刷データ２００を出力する際の権限についての情報、課金情報等を含んでいてもよい。
【００３４】
さらに、後加工情報３１０は、図形データ４００及び／又は文字データ４１０を含む。
図形データ４００は、切り取り線、マチ線、トンボ、塗り足し、ステープル位置等の指示を行う図形の情報である。
文字データ４１０は、これらの指示のための説明や注釈の単語や文章等の文字の情報である。
本実施形態においては、これらの図形データ４００及び文字データ４１０は、印刷データ２００内で区別可能なオブジェクト等のデータ構造のまとまり（箇所）として複数含まれていてもよい。さらに、図形データ４００のみ、又は文字データ４１０のみの箇所が存在してもよい。
【００３５】
ここで、画像形成装置１の制御部１０は、記憶部１９に記憶された制御プログラムを実行することで、印刷データ取得部１００、情報抽出部１１０、消色設定部１２０、及び消色通知部１３０として機能させられる。
また、上述の画像形成装置１の各部は、本発明の画像形成方法を実行するハードウェア資源となる。
なお、上述の機能構成の一部又は任意の組み合わせをＩＣやプログラマブルロジックやＦＰＧＡ（Field-Programmable Gate Array）等でハードウェア的に構成してもよい。
【００３６】
〔画像形成装置１による後加工消色印刷処理〕
次に、図３〜図４を参照して、本発明の実施の形態に係る画像形成装置１による後加工消色印刷処理の説明を行う。
本実施形態の消色印刷処理では、印刷データ２００を取得して、取得された前記印刷データ２００から後加工情報３１０を抽出する。そして、抽出された後加工情報３１０の箇所が、所定期間経過後に消色する消色インクで出力されるように出力データ２１０を設定する。この際に、図形及び／又は文字が裏面に印刷されるように設定する。そして、設定された出力データ２１０を、消色インクで画像形成する。
本実施形態の後加工消色印刷処理は、主に制御部１０が、記憶部１９に記憶されたプログラムを、各部と協働し、ハードウェア資源を用いて実行する。
以下で、図３のフローチャートを参照して、後加工消色印刷処理の詳細をステップ毎に説明する。
【００３７】
（ステップＳ１００）
まず、印刷データ取得部１００が、印刷データ取得処理を行う。
ユーザーは、端末２で各種アプリを実行させ、そのアプリ、又はデバイスドライバーから画像形成装置１での印刷を選択させる。この際、ユーザーは、端末２のデバイスドライバーの設定画面等を介して、ＧＵＩ（Graphical User Interface）やスクリプト等で後加工情報３１０を指定する。この指定は、タグ、色、オブジェクトの種類やＩＤ、領域の指定等により行うことが可能である。加えて、特定のページや別ファイル等を指定して、それを後加工情報３１０として、付加することも可能である。
さらに、後加工情報３１０の裏面印刷の許可又は禁止、事前通知をするか否か、印刷完了から事前通知をするまでの期間等を設定することが可能である。
これらの設定は、印刷データ２００のユーザー情報３２０に、ＰＤＬやメタデータ等として格納される。
【００３８】
すると、端末２からネットワーク５を介して、画像形成装置１へ印刷データ２００が送信される。
印刷データ取得部１００は、この印刷データ２００を、ネットワーク５を介して、端末２から取得して、記憶部１９に格納する。
【００３９】
（ステップＳ１０１）
次に、情報抽出部１１０が、後加工情報抽出処理を行う。
情報抽出部１１０は、記憶部１９に格納された印刷データ２００を参照し、ＰＤＬ、メタデータ等を解釈して、後加工情報３１０の図面データ及び文字データ４１０の箇所を抽出する。
この際、情報抽出部１１０は、印刷データ２００に含まれるユーザー情報３２０を、ユーザー単位又は印刷データ２００単位で通知データ２２０に設定することも可能である。
【００４０】
（ステップＳ１０２）
次に、情報抽出部１１０が、干渉する箇所があるか否かを判定する。
情報抽出部１１０は、通常インクに対応する通常印刷情報３００が記録紙に出力される位置に重なって又は近接して、後加工情報３１０の図面データ及び／又は文字データ４１０が出力される場合、インクのにじみ等が発生する可能性があるため、干渉すると判断し、Ｙｅｓと判定する。情報抽出部１１０は、それ以外の場合には、Ｎｏと判定する。加えて、情報抽出部１１０は、後加工情報３１０の裏面印刷設定が禁止になっていた場合もＮｏと判定する。さらに、情報抽出部１１０は、ユーザーの権限や課金の状況によっては、Ｎｏと判定してもよい。
Ｙｅｓの場合、情報抽出部１１０は、処理をステップＳ１０３に進める。
Ｎｏの場合、情報抽出部１１０は、処理をステップＳ１０４に進める。
【００４１】
（ステップＳ１０３）
干渉する箇所がなかった場合、消色設定部１２０が、表面設定処理を行う。
消色設定部１２０は、後加工情報３１０の図面データ及び文字データ４１０の箇所を、印刷物の表面に出力されるよう出力データ２１０に設定する。
その後、消色設定部１２０は、処理をステップＳ１０７に進める。
【００４２】
（ステップＳ１０４）
干渉する箇所があった場合、消色設定部１２０が、干渉する箇所は文字データ４１０のみであるか否かを判定する。消色設定部１２０は、干渉する箇所が文字データ４１０のみであった場合に、Ｙｅｓと判定する。消色設定部１２０は、それ以外の場合、すなわち、干渉する箇所が図面データである、又は、文字データ４１０及び図面データが含まれている場合には、Ｎｏと判定する。
【００４３】
図４（ａ）の例で説明すると、印刷データ２００の表面において、後加工情報３１０である「ＣＵＴ」の箇所は文字データ４１０のみであり、通常印刷情報３００に含まれる五角形の図形と干渉している。後加工情報３１０である破線と文字「Ａ」の箇所は、図形データ４００及び文字データ４１０を含み、五角形の図形と干渉している。後加工情報３１０である破線と文字「ＢＢ」の箇所も同様である。これらの箇所については、消色設定部１２０は、干渉するとして、Ｙｅｓと判定する。
【００４４】
Ｙｅｓの場合、消色設定部１２０は、処理をステップＳ１０５に進める。
Ｎｏの場合、消色設定部１２０は、処理をステップＳ１０６に進める。
【００４５】
（ステップＳ１０５）
干渉する箇所が文字データ４１０のみの場合、消色設定部１２０が、文字移動設定処理を行う。
干渉を排除するため、文字データ４１０の箇所の出力位置を、通常印刷情報３００で出力される位置と重ならないように移動するよう出力データ２１０に設定する。これにより、後加工情報３１０のうち、注意書きだけのものが重なる場合には、ずらして、表面に出力することが可能となる。この際、消色設定部１２０は、特定の位置範囲で干渉させずにずらす位置が発見できなかった等の場合には、下記の処理のように裏面に出力させてもよい。
【００４６】
図４（ｂ）の例で説明すると、出力データ２１０の表面において、後加工情報３１０である「ＣＵＴ」の箇所は、通常印刷情報３００に含まれる五角形の図形と重ならない位置にずらされている。
【００４７】
（ステップＳ１０６）
干渉する箇所が文字データ４１０のみでなかった場合、消色設定部１２０が、裏面反転設定処理を行う。
消色設定部１２０は、干渉する箇所の図形データ４００が裏面に出力されるように、出力データ２１０を設定する。この際、消色設定部１２０は、図形データ４００の位置及び形状を反転された状態になるよう出力データ２１０を設定する。すなわち、裏面に後加工情報３１０の図形データ４００を印刷する際は、この図形データ４００の位置、形状が反転した状態で出力されるようにする。
しかしながら、消色設定部１２０は、裏面に文字データ４１０を出力する際には、反転された状態にならないよう位置のみを出力データ２１０に設定する。これにより、注意書きは、文字を反転しないで、位置のみを反転して出力されるようにすることが可能となる。
【００４８】
図４（ｂ）では、印刷データ２００の裏面において、後加工情報３１０である破線と文字「Ａ」の箇所、破線と文字「ＢＢ」の箇所においては、それぞれの破線の位置、形状が反転され、文字は位置だけが反転されて出力されている。
【００４９】
消色設定部１２０は、「裏面に印刷しました」等と表面に消色インクで出力するよう出力データ２１０に設定することも可能である。
その後、消色設定部１２０は、処理をステップＳ１０７へ進める。
【００５０】
（ステップＳ１０７）
ここで、消色設定部１２０及び画像形成部１７が、画像形成処理を行う。
消色設定部１２０は、出力データ２１０を画像形成部１７へ出力する。
これにより、画像形成部１７は、通常インク及び消色インクにて記録紙に出力データ２１０を画像形成する。この画像形成された記録紙が、印刷物となる。
【００５１】
（ステップＳ１０８）
次に、消色通知部１３０が、事前通知を行うか否かを判定する。消色通知部１３０は、通知データ２２０を参照し、印刷データ２００について事前通知をするように設定され、印刷完了から事前通知をするまでの期間が経過した場合に、Ｙｅｓと判定する。消色通知部１３０は、それ以外の場合には、Ｎｏと判定する。
Ｙｅｓの場合、消色通知部１３０は、処理をステップＳ１０９に進める。
Ｎｏの場合、消色通知部１３０は、本実施形態の後加工消色印刷処理を終了する。
【００５２】
（ステップＳ１０９）
事前通知を行う場合、消色通知部１３０が、消色事前通知処理を行う。
消色通知部１３０は、印刷物の後加工情報が完全に消色される前に、事前通知を行う。具体的には、消色通知部１３０は、通知データ２２０の連絡先情報を参照し、印刷を行ったユーザーのメールアドレス等に、電子メールやメッセンジャー等により、警告の通知を行う。この通知には、例えば、出力時刻情報、印刷物識別情報等により、どの印刷データ２００なのかユーザーに認識させる情報を付加する。さらに、例えば、添付ファイルのような形式で、表紙データやサムネイルデータを添付して、ユーザーにわかりやすくしてもよい。
【００５３】
図４（ｃ）の例により説明すると、例えば、消色インクが三日の所定期間で完全に消色する場合、印刷してから二日経過後に、事前通知を行う。この例では、印刷物５００として、消色インクが消えかかっている状況を示している。
このようにして、消色インクで印刷した後、印刷物５００上の消色インクが消えそうな時期が到来したら、警告通知を行うことが可能となる。
以上により、本発明の実施の形態に係る後加工消色印刷処理を終了する。
【００５４】
以上のように構成することで、以下のような効果を得ることができる。
近年、紙、布、革、金属板等への印刷を行う商業印刷の画像形成装置は、インクジェット方式を用いて、印刷速度の高速化、大量印刷を実現している。
商業印刷では、ほとんどの場合において後加工が必要となる。この後加工の箇所のみを消色インクで印刷したいというニーズがあった。しかしながら、特許文献１に記載された技術では、通常の印刷データ２００から後加工のための図形や文字のみを、消色インクで印刷するといった用途に用いることはできなかった。
これに対して、本発明の実施の形態に係る画像形成装置１は、印刷データ２００を取得する印刷データ取得部１００と、印刷データ取得部１００により取得された印刷データ２００から後加工情報３１０を抽出する情報抽出部１１０と、情報抽出部１１０により抽出された後加工情報３１０の箇所が、所定期間経過後に消色する消色インクで出力されるように出力データ２１０を設定する消色設定部１２０と、消色設定部１２０により設定された出力データ２１０を、消色インクで画像形成する画像形成部１７とを備えることを特徴とする。
このように構成することで、商業印刷等において、印刷データ２００のうち後加工情報３１０の図形及び文字のみを消色インクで印刷することが可能となる。これにより、後加工情報３１０の箇所は消色インクで印刷されるため、所定期間経過後に消色する。このため、印刷物に後加工情報３１０の箇所が残らなくなるため、商業印刷において後加工を行うユーザーのサポートすることが可能となる。
【００５５】
従来、商業印刷では、インクジェットプリンターが用いられることが多かった。このようなインクジェットプリンターでは、通常インクの印刷と消色インクとが混じると、にじみ、消色後の色抜けによるムラ等が生じて、印刷品質の低下が起こることがあった。
これに対して、本発明の実施の形態に係る画像形成装置１は、後加工情報３１０は、図形データ４００を含み、消色設定部１２０は、印刷データ２００のうち、通常色の通常インクに対応する箇所と、後加工情報３１０の図形データ４００の箇所とが干渉する場合、当該図形データ４００が裏面に出力されるように設定することを特徴とする。
このように構成することで、印刷物の出力時に通常インクと消色インクとが干渉する箇所を裏面に出力させ、印刷品質の低下を抑えることが可能となる。
【００５６】
また、本発明の実施の形態に係る画像形成装置１は、後加工情報３１０は、文字データ４１０も含み、消色設定部１２０は、裏面に図形データ４００が出力されるよう設定された場合、図形データ４００の位置及び形状を反転された状態になるよう設定し、文字データ４１０は反転された状態にならないよう位置のみ設定することを特徴とする。
このように構成することで、インクのにじみ等の干渉により印刷品質が低下するのを避けつつ、後加工情報３１０を表面に印刷するのと同じ箇所を後加工することが可能となる。この上で、文字データ４１０は反転しないので、注意書き等も裏面でみても分かりやすくなる。
【００５７】
また、本発明の実施の形態に係る画像形成装置１は、画像形成部１７にて画像形成された印刷物の後加工情報が完全に消色される前に、印刷データ２００のユーザーへ事前通知する消色通知部１３０を更に備えることを特徴とする。
このように構成することで、後加工情報３１０が印刷物に出力された箇所について、これが完全に消える前にユーザーへ事前通知することが可能となる。これにより、ユーザーが確実に後加工できるよう、サポート可能となる。
【００５８】
〔他の実施の形態〕
なお、本発明の実施の形態においては、端末２から印刷データ２００が送信されて、これが画像形成される例について記載した。
しかしながら、端末２を用いない構成も可能である。この場合、複写（コピー）や文書ボックスからの出力等の機能を実行した際に、操作パネル部１６により、プレビュー画面で、後加工情報３１０の箇所を指定するようにすることも可能である。
このように構成することで、端末２を用いなくても、後加工情報３１０を消色インクで出力することができる。
【００５９】
さらに、上述の実施の形態においては、端末２のデバイスドライバーで後加工情報３１０がどれか設定する例について説明した。
しかしながら、畳み込みニューラルネットやその他の認識手段により、後加工情報３１０を画像形成装置１の制御部１０により直接認識することも可能である。
これにより、ユーザーは、後加工情報３１０を指定しなくてもよくなる。
【００６０】
上述の実施の形態においては、印刷データ２００にユーザー情報３２０が含まれる例について記載した。
しかしながら、印刷データ２００にユーザー情報３２０が含まれないようにして、別途、事前通知等について設定するような構成も可能である。
加えて、通常インクと消色インクを同じ面に印刷したくない場合、文字及び図形にかかわらず、後加工情報３１０の印刷を裏面に印刷するように設定することも可能である。
このようにすることで、後加工情報３１０の種類に対応した柔軟な構成が可能となる。
【００６１】
また、本発明は、画像形成装置以外の情報処理装置を用いた構成にも適用できる。つまり、ネットワークスキャナー、スキャナーをＵＳＢ等で別途接続したサーバー等も用いる構成であってもよい。
【００６２】
また、上記実施の形態の構成及び動作は例であって、本発明の趣旨を逸脱しない範囲で適宜変更して実行することができることは言うまでもない。
【符号の説明】
【００６３】
１  画像形成装置
２  端末
５  ネットワーク
１０  制御部
１１  画像処理部
１２  原稿読取部
１３  原稿給送部
１４  給紙部
１５  ネットワーク送受信部
１６  操作パネル部
１７  画像形成部
１８  ＦＡＸ送受信部
１９  記憶部
１００  印刷データ取得部
１１０  情報抽出部
１２０  消色設定部
１３０  消色通知部
２００  印刷データ
２１０  出力データ
２２０  通知データ
３００  通常印刷情報
３１０  後加工情報
３２０  ユーザー情報
４００  図形データ
４１０  文字データ
５００  印刷物
【図１】
2020075394.tif 000003
【図２】
2020075394.tif 000004
【図３】
2020075394.tif 000005
【図４】
2020075394.tif 000006